【手続補正書】
【提出日】平成18年9月27日(2006.9.27)
【手続補正１】
【補正対象書類名】明細書
【補正対象項目名】００１２
【補正方法】変更
【補正の内容】
【００１２】
光源１は、光を放射するランプ１１と、ランプ１１から放射した光を集光する反射鏡１２と、反射鏡１２の光出射開口側を覆う前面ガラス１３とを備えて構成される。ランプ１１としては、発光効率が高いこと、光学系を通して光利用効率が高い点光源に近い発光部を有すること、演色性が高いこと、及び、長寿命であることを考慮して、キセノンランプ、メタルハライドランプ、高圧水銀ランプ等の放電ランプが使用され、中でも、高圧水銀ランプを用いることがより好ましい。反射鏡１２は、ランプ１１に対向する内面（反射面）が放物面や楕円面の反射形状をなし、特に反射面にはアルミや銀等の金属膜、及び誘電体多層膜によるコーティングが施されて良好な反射特性を示すように形成される。前面ガラス１３は、ランプ１１の動作中、発光管１４内部が高圧となり、欠陥を持ったランプ１１が、最悪の場合、破裂に至ることもあり得るため、ランプ１１の破片が装置内部に散乱するのを防止するために、配置されるものである。
【手続補正２】
【補正対象書類名】明細書
【補正対象項目名】００１７
【補正方法】変更
【補正の内容】
【００１７】
電源部２２は、外部から供給される電力をＡＣからＤＣへ変換する平滑回路及び、制御部２３、ランプ制御部２４、ファン駆動部２５等の各種回路を動作させるのに必要な電圧に変換する電圧変換回路を備えている。また、電源部２２は、図１に示すように、第１の電源回路２２ａと第２の電源回路２２ｂとを備えて構成される。第１の電源回路２２ａは、メインスイッチ２１のオンとともに制御部２３に対して電力を供給し、信号比較部２８に対して所定の電圧Ｖ1を出力するように構成される。第２の電源回路２２ｂは、各回路に対して電力を供給するために各回路に接続されるスイッチング素子を備えており、メインスイッチ２１がオンとなり、かつ制御部２３から信号が与えられることによって、これらスイッチング素子が個別にオンし、各回路に対して必要な電力を供給するように構成される。例えば、第２の電源回路２２ｂには時間管理部２７に接続されるスイッチング素子２２２が設けられており、制御部２３からの信号によってスイッチング素子２２２がオンすると、時間管理部２７に対して所定の電圧Ｅを出力する。
【手続補正３】
【補正対象書類名】明細書
【補正対象項目名】００２５
【補正方法】変更
【補正の内容】
【００２５】
第２の電源回路２２ｂから時間管理部２７に印加される電圧をＥ、ダイオード３１の順方向電圧をＶFとすると、コンデンサ３２が充電された結果生じる電圧Ｖ0は、
Ｖ0＝Ｅ−ＶF    ・・・（式１）
によって与えられる。
【手続補正４】
【補正対象書類名】明細書
【補正対象項目名】００４２
【補正方法】変更
【補正の内容】
【００４２】
図５は第１のフローチャートによる点灯シーケンスのタイミングチャートである。発光管１４の温度が低い状態からの投射型表示装置１０の立ち上げは、メインスイッチ２１のオン後、即時に操作部２６の機能スイッチ２６ａをオン操作可能な待機状態となる。そして操作部２６の機能スイッチ２６ａがオンされると、即時にランプ１１が点灯し、ファン５が回転して、投写型表示装置１０において映像投写動作が開始される。
【手続補正５】
【補正対象書類名】明細書
【補正対象項目名】００４４
【補正方法】変更
【補正の内容】
【００４４】
次に具体的な設計の一例について説明する。ランプ１１には２７０Ｗの高圧水銀ランプを使用した。２７０Ｗのランプ１１は発光管温度が３５０℃以下でほぼ１００％の再点灯が可能であった。操作部２６の機能スイッチ２６ａをオフしてランプ１１をオフし、その後ファン５によりランプ１１を冷却した場合、発光管１４は５０秒で３５０℃以下となった。メインスイッチ２１によりオフして、ランプ１１と同時にファン５をオフした場合、発光管１４の温度が自然冷却で３５０℃まで低下するのに要する時間は、２．５分以降であった。そのため、使用環境等によるランプ１１の自然冷却のバラツキ、コンデンサ３２や抵抗３３のバラツキを考慮して、ランプ１１の再点灯を禁止する時間を、約５分に設定した。
【手続補正６】
【補正対象書類名】明細書
【補正対象項目名】００４５
【補正方法】変更
【補正の内容】
【００４５】
Ｅ＝５Ｖ、ＶF＝０．７Ｖ、Ｃ＝１０００μＦ、Ｒ＝２００ｋΩ、Ｖ1＝１Ｖと設定すれば、上記（式１）、（式２）より、放電時間ｔは２９１秒（約５分）と設定される。
【手続補正７】
【補正対象書類名】明細書
【補正対象項目名】００５２
【補正方法】変更
【補正の内容】
【００５２】
図８は実施の形態１における制御部２３の動作を示す第３のフローチャートである。メインスイッチ２１がオンされた後、ステップＳ３１において制御部２３のマイコンが起動し、第１のフローチャートと同様に、異常なオフの場合であって（ステップＳ３２にてＮｏ）、かつ、時間管理部２７からの出力電圧が高い場合（ステップＳ３３にてＮｏ）に、ファン５が駆動されてランプ１１の冷却が行われる（ステップＳ３４）。第１のフローチャートと異なる点は、ファン５による冷却中でも、ステップＳ３５において操作部２６の機能スイッチ２６ａの操作を受け付ける点であり、ここで操作部２６の機能スイッチ２６ａがオンされた場合（ステップＳ３５にてＹｅｓ）、ステップＳ３６，Ｓ４０に進み、ランプ１１の冷却完了後、自動的にランプ１１を点灯させてスクリーン４への映像投写を開始させる。
【手続補正８】
【補正対象書類名】明細書
【補正対象項目名】００５８
【補正方法】変更
【補正の内容】
【００５８】
実施の形態２．
図１０は、実施の形態２における投写型表示装置１０ａの概略構成を示す図である。尚、図中、図１と同一符号で示されるものは、実施の形態１において説明したものと同一の機能を示す部材である。実施の形態１では、図１に示す如く、制御部２３からランプ制御部２４に出力を与える端子Ｌ２と、第２の電源回路２２ｂを介して時間管理部２７に出力を与える端子Ｌ３とを連動させている構成例を説明した。
【手続補正９】
【補正対象書類名】明細書
【補正対象項目名】００６３
【補正方法】変更
【補正の内容】
【００６３】
実施の形態３．
図１１は、実施の形態３における投写型表示装置１０ｂの概略構成を示す図である。尚、図中、図１と同一符号で示されるものは、実施の形態１において説明したものと同一の機能を示す部材である。投写型表示装置１０ｂが、実施の形態１と異なる点は、操作部２６の機能スイッチ２６ａを取り除き、メインスイッチ２１のみで映像投写機能を実行するように構成されている点である。その他の構成については実施の形態１で説明したものと同様である。
【手続補正１０】
【補正対象書類名】明細書
【補正対象項目名】００６８
【補正方法】変更
【補正の内容】
【００６８】
実施の形態４．
図１３は、実施の形態４における投写型表示装置１０ｃの概略構成を示す図である。尚、図中、図１と同一符号で示されるものは、実施の形態１において説明したものと同一の機能を示す部材である。投写型表示装置１０ｃが投写型表示装置１０（実施の形態１）と異なる点は、信号比較部２８をＡ／Ｄ変換部２９に置き換えた点である。Ａ／Ｄ変換部２９は、時間管理部２７の出力に接続されている。その他の構成については実施の形態１で説明したものと同様である。但し、制御部２３のマイコンとして、Ａ／Ｄ変換機能を有する端子を備えたマイコンを採用し、その端子を時間管理部２７の出力に直接接続してもよい。この場合はＡ／Ｄ変換部２９の配設を省略できるので、回路構成の簡略化及びコストの低減を図ることができる。
【手続補正１１】
【補正対象書類名】明細書
【補正対象項目名】００７２
【補正方法】変更
【補正の内容】
【００７２】
図１４は、変換テーブルの一例を示す図である。２７０Ｗの高圧水銀ランプを使用した場合、１００％の再点灯が可能な発光管温度は３５０℃以下であった。ランプ１１をオフした後、自然冷却によってランプ１１を３５０℃まで冷却するのに要する時間は、２．５分であった。裕度を考慮して、３００℃まで冷却してから再点灯を行うものとした場合、ランプ１１をオフした後、自然冷却によってランプ１１を３００℃まで冷却するのに要する時間ｔｍは、３分である。ランプ１１をオフした後に１分間でランプ１１を３００℃まで冷却する能力を有するファン５を使用する場合、異常なオフ後の経過時間と、ランプ１１を３００℃まで冷却するためのファン駆動時間との関係は、図１４に例示した変換テーブルの通りとなる。
【手続補正１２】
【補正対象書類名】明細書
【補正対象項目名】００８７
【補正方法】変更
【補正の内容】
【００８７】
このように本実施の形態５に係る投写型表示装置１０ｄによれば、タイマーＩＣ３４によって時間を管理するため、コンデンサ３２及び抵抗３３によって構成された時間管理部２７（実施の形態１）に比べて、より正確に時間を管理することができる。また、図１に示した信号比較部２８を削除できるので、回路構成の簡素化を図ることができる。